(57)【要約】【課題】  踏切用表示灯の柱への取付作業を簡単にする【解決手段】  踏切で発光表示を行うための踏切用表示灯１を柱１２に取り付ける踏切用表示灯１の取付方法であって、梱包箱内の中箱８に係合保持された踏切用表示灯１を、中箱８に取り付けられた紐１１を掴んで中箱８とともに梱包箱から引き出し、紐１１を柱に取り付けられた固定金具１３、１４に引っ掛け、踏切用表示灯１の取付部５を固定金具１３、１４に固定することによって踏切用表示灯１を固定金具１３、１４に保持させ、紐１１を固定金具１３、１４から外し、中箱８を踏切用表示灯１との係合から外す。【選択図】  図４
2015074385.tif 000002
【特許請求の範囲】
【請求項１】
踏切で発光表示を行うための踏切用表示灯を柱に取り付ける踏切用表示灯の取付方法であって、
梱包箱内の中箱に係合保持された前記踏切用表示灯を、前記中箱に取り付けられた紐を掴んで前記中箱とともに梱包箱から引き出し、
前記紐を前記柱に取り付けられた固定金具に引っ掛け、
前記踏切用表示灯の取付部を前記固定金具に固定することによって前記踏切用表示灯を前記固定金具に保持させ、
前記紐を前記固定金具から外し、前記中箱を前記踏切用表示灯との係合から外すようにしたことを特徴とする踏切用表示灯の取付方法。
【請求項２】
梱包箱内の中箱の上面に設けられた係合穴には踏切用表示灯の段差部が係合保持され、
前記中箱の上面の、前記係合穴を間に挟んだ両側には、紐が取り付けられていることを特徴とする梱包状態の踏切用表示灯。
【請求項３】
踏切用表示灯の段差部が係合保持される係合穴が上面に設けられた中箱と、
前記中箱の上面の、前記係合穴を間に挟んだ両側に取り付けられている紐とを有することを特徴とする踏切用表示灯の梱包箱。
【発明の詳細な説明】
【技術分野】
【０００１】
本発明は、発光ダイオードの点灯もしくは点滅によって発光表示を行う踏切用表示灯（踏切警報灯、列車進行方向指示器など）の取付方法、梱包状態の踏切用表示灯および踏切用表示灯の梱包箱に関するものである。
【背景技術】
【０００２】
本願出願人は、踏切警報灯の配線作業の簡易化を提案している（特許文献１）。
【先行技術文献】
【特許文献】
【０００３】
【特許文献１】特開２０１３−１０４０６号公報
【発明の概要】
【発明が解決しようとする課題】
【０００４】
しかしながら、踏切警報灯などの警報機柱への取付は従来から改良されてはおらず、改善の余地があった。
【０００５】
（発明の目的）
本発明の目的は、踏切用表示灯の柱への取付作業と配線作業を簡単にすることを可能にする踏切用表示灯の取付方法、梱包状態の踏切用表示灯および踏切用表示灯の梱包箱を提供することである。
【課題を解決するための手段】
【０００６】
上記目的を達成するために、本発明の踏切用表示灯の取付方法は、踏切で発光表示を行うための踏切用表示灯を柱に取り付ける踏切用表示灯の取付方法であって、梱包箱内の中箱に係合保持された前記踏切用表示灯を、前記中箱に取り付けられた紐を掴んで前記中箱とともに梱包箱から引き出し、前記紐を前記柱に取り付けられた固定金具に引っ掛け、前記踏切用表示灯の取付部を前記固定金具に固定することによって前記踏切用表示灯を前記固定金具に保持させ、前記紐を前記固定金具から外し、前記中箱を前記踏切用表示灯との係合から外すことを特徴とするものである。
【発明の効果】
【０００７】
本発明によれば、踏切用表示灯の柱への取付作業と配線作業を簡単にすることができる。
【図面の簡単な説明】
【０００８】
【図１】本発明の一実施例に係る踏切警報灯を示す図である。
【図２】実施例に係る梱包状態の踏切警報灯を示す斜視図である。
【図３】実施例の組立方法の前半を示す斜視図である。
【図４】実施例の組立方法の後半を示す図である。
【発明を実施するための形態】
【０００９】
本発明を実施するための形態は、以下の実施例に記載される通りである。
【実施例】
【００１０】
図１は、本発明の一実施例に係る踏切警報灯を示す斜視図及び段差部の矢視図である。なお、本発明の踏切用表示灯は、踏切警報灯と列車進行方向指示器などを含むものである。
【００１１】
図１において、踏切警報灯１は、金属製などのひさし２、ひさし２に固定された透明樹脂製のカバー３、ひさし２にねじ４により固定された回転接手５から主として構成されている。カバー３の内部には、図示されていないが、垂直に配置された発光ダイオード基板や、発光ダイオード基板の両面に取り付けられた多数の発光ダイオードなどが設けられている。ひさし２の水平面の大きさはカバー３の上端水平面の大きさより大きく、これによって図１（ｂ）に示されるように段差部６が形成されている。
【００１２】
カバー３の水平断面はほぼ楕円形であり、カバー３の正面側および背面側からは発光ダイオードの光が両方向に照射される。踏切警報灯の場合には、円形の照射光線となり、列車進行方向指示器の場合には、矢印形状の照射光線となる。
【００１３】
図２は、梱包状態の踏切警報灯１を示す斜視図である。梱包箱7の内部には中箱８が収められる。中箱８の上面９には踏切警報灯１のカバー３が嵌まり込む楕円形の係合穴１０が開けられている。この係合穴１０に踏切警報灯１の段差部６が引っ掛かり、踏切警報灯１が保持されている。つまり、梱包状態では、踏切警報灯１のひさし２および回転接手５は中箱８の上面９の上に配置された状態となる。
【００１４】
中箱８の上面９の、係合穴１０を間に挟んだ両側には、紐１１が取り付けられている。紐１１は布製、軟質の合成樹脂製などである。この紐１１は中箱８を後述するように吊り下げるためのものである。
【００１５】
次に、梱包状態の踏切警報灯１を梱包箱７から取り出し、警報機柱に取り付ける方法を図３および図４により説明する。
【００１６】
踏切警報灯１が梱包された梱包箱７（図３（ａ））を開けて（図３（ｂ））、紐１１を掴み、図３（ｃ）のように矢印方向に引っ張り上げる。そうすると、中箱８に係合保持された踏切警報灯１が梱包箱７から引き出される。
【００１７】
図４（ａ）に示されるように、警報機柱１２にはブラケット１３およびソケット１４が取り付けられている。警報機柱１２の内部を通った外線１５は、ブラケット１３およびソケット１４の内部をも通り、下方に引き出されている。作業者は、紐１１をブラケット１３に引っ掛ける。これにより作業者は踏切警報灯１を手で持つ必要はない。
【００１８】
図４（ｂ）に示されるように、踏切警報灯１を傾け、外線１５を回転接手５に通し、回転接手５内にあるコネクタ（不図示）に外線１５を配線する。そして、回転接手５をソケット１４の内部に挿入し、回転接手５をソケット１４にねじ止めする。この状態は図４（ｃ）に示される。その後、図４（ｄ）に示されるように、紐１１をブラケット１３から外し、中箱８の係合穴１０を踏切警報灯１の段差部６から抜き取る。
【００１９】
外線１５の配線作業やその他の作業は、図４（ｂ）の状態で行われる。したがって、踏切警報灯１を手で保持する必要はなく、取付作業と配線作業を簡易に行うことができる。
【００２０】
なお、本実施例において、回転接手５が本発明の取付部に、ブラケット１３およびソケット１４が本発明の固定金具に、それぞれ相当する。
【符号の説明】
【００２１】
１          踏切警報灯
５          回転接手
６          段差部
７          梱包箱
８          中箱
９          上面
１０        係合穴
１１        紐
１２        警報機柱
１３        ブラケット
１４        ソケット
【図１】
2015074385.tif 000003
【図２】
2015074385.tif 000004
【図３】
2015074385.tif 000005
【図４】
2015074385.tif 000006